(57)【要約】【課題】本発明の目的は、予め登録されたキー操作及び装置状態に基づき表示音の鳴動を柔軟に設定可能とする。【解決手段】キー入力機能を有する通信端末において、操作キーからなる操作手段と前記通信端末の動作状態切替え機能を有する切替え手段における動作状態を検知すると、記憶手段に予め記憶された前記操作手段及び前記切替え手段の動作状態を比較参照し、この比較参照結果に基づき表示音を生成する手段を備える。【選択図】  図１
2007258812.tif 000002
【特許請求の範囲】
【請求項１】
キー入力機能を有する通信端末において、
操作キーからなる操作手段と、
前記通信端末の動作状態切替え機能を有する切替え手段と、
前記操作手段での操作及び前記切替え手段における動作状態に対応した制御情報を検知する検知手段と、
前記通信端末内部の制御を行なう制御手段と、
前記操作手段での操作に対応した情報を含む各種情報を記憶する記憶手段と、
前記検知手段での検知情報と前記記憶手段に予め記憶された前記操作手段及び前記切替え手段の動作情報を比較参照し、この比較参照結果に基づき表示音を生成する表示音生成手段と、
前記表示音生成手段で生成された表示音を出力する表示音鳴動手段と、
を備えることを特徴とする通信端末。
【請求項２】
キー入力機能を有する通信端末の制御方法において、
操作キー及び前記通信端末の動作状態を検知する動作状態検知ステップと、
前記操作キーでの操作に対応した制御情報を検知する情報検知ステップと、
前記動作状態検知ステップでの検知情報と前記記憶部に予め記憶された前記操作キー及び前記通信端末の動作情報と前記操作キーでの操作に対応した制御情報とを比較参照した結果に基づき表示音を生成する表示音生成ステップと、
前記表示音生成ステップで生成された前記表示音を出力する表示音鳴動ステップと、
から成ることを特徴とする通信端末の制御方法。
【発明の詳細な説明】
【技術分野】
【０００１】
この発明は、押釦形式を含むキー入力機能を有する通信端末に関するものである。
【背景技術】
【０００２】
近年、携帯電話を始めとする通信端末においては、押釦形式のキー入力機能を有するプッシュホンが普及し通話機能の他に各種補助機能が備えられている。例えば、着信音としてＰＣＭ（Ｐｕｌｓｅ  Ｃｏｄｅ  Ｍｏｄｕｌａｔｉｏｎ）音源を内蔵し音楽や有名人の声を着信音として鳴らすことで各通信端末の着信音を区別する着信音機能や、画像データや文字メッセージを送受信可能な電子メール機能が備えられており、これら各種機能はファンクションキーと称される機能操作キーに予め定められた操作キーを操作することによって能動化され、キー操作時においては確認音として操作音が鳴動する。しかし、時として周囲の人間に不快感を与えないよう静寂性を望むがために着信音や操作音を含む表示音を必要としない場合もある。そこで、このような場合に対処する機能として表示音や振動を行わないように設定できるマナーモード機能が備えられた通信装置が特許文献１に開示されている。また、表示音や振動を行わないマナーモード機能設定時においてキー操作の確認に光表示を利用することで視覚的に確認を捉え操作性向上を図る装置が特許文献２に開示されている。
【特許文献１】特開２０００−０５０３５３号公報
【特許文献２】特開平０７−２２６７８９号公報
【発明の開示】
【発明が解決しようとする課題】
【０００３】
ところが、前記した従来の装置におけるマナーモード機能では、利用者の使用場所により表示音や振動設定などの鳴動設定の有無が一括設定されてしまうため柔軟な呼動設定ができず、また光表示を利用した鳴動設定は使用状況により正確な確認ができないといった課題があり改善が望まれていた。
従って本発明の目的は、操作キーでの操作を含む装置の動作状態の検知結果と予め装置の記憶部に記憶された装置の動作状態とを比較参照した結果に基づき表示音の鳴動をさせることで、柔軟な表示音の鳴動設定を可能とすることを目的とする。
【課題を解決するための手段】
【０００４】
本発明の通信端末は、キー入力機能を有する通信端末であって、操作キーからなる操作手段と、通信端末の動作状態切替え機能を有する切替え手段と、操作手段での操作及び切替え手段における動作状態に対応した制御情報を検知する検知手段と、通信端末内部の制御を行なう制御手段と、操作手段での操作に対応した情報を含む各種情報を記憶する記憶手段と、検知手段での検知情報と記憶手段に予め記憶された操作手段及び切替え手段の動作情報を比較参照し、この比較参照結果に基づき表示音を生成する表示音生成手段と、表示音生成手段で生成された表示音を出力する表示音鳴動手段とを備えることを特徴としている。
【０００５】
本発明の通信端末の制御方法は、キー入力機能を有する通信端末の制御方法であって、
操作キー及び通信端末の動作状態を検知する動作状態検知ステップと、操作キーでの操作に対応した制御情報を検知する情報検知ステップと、動作状態検知ステップでの検知情報と記憶部に予め記憶された操作キー及び通信端末の動作情報と操作キーでの操作に対応した制御情報とを比較参照した結果に基づき表示音を生成する表示音生成ステップと、表示音生成ステップで生成された表示音を出力する表示音鳴動ステップとから成ることを特徴としている。
【発明の効果】
【０００６】
発明の効果として、本発明の通信端末及び制御方法によれば、
通信端末の動作状態を検知した結果に基づき表示音の鳴動制御を柔軟に行なうことができる。
【発明を実施するための最良の形態】
【０００７】
本発明による通信端末及び制御方法の実施例は添付図面を参照して詳細に説明する。
【実施例１】
【０００８】
以下、本発明の実施例について図面を参照して説明する。図１は実施例１の通信端末の構成図である。この通信端末１０は、操作部１１、フックスイッチ部１２、検知部１３、制御部１４、記憶部１５、表示音生成部１６、表示音鳴動部１７、インタフェース部１８で構成される。
【０００９】
フックスイッチ部１２は少なくともオン・フック又はオフ・フックの切換えを行なう機能部であり、前記通信端末１０の各機能部の動作状態が待機時においてはオフ・フック状態となっている。
検知部１３は前記操作部１１での操作及び前記フックスイッチ１２部における動作状態を検知する機能部である。
制御部１４は、通信端末１０内部の制御を行う機能部である。
記憶部１５は、前記操作部１１での操作に対応した情報や表示音の鳴動、音源情報を含む各種情報を記憶する機能部である。
表示音生成部１６は、前記記憶部１５に記憶する前記各種情報に基づき、前記検知部１３での検知状況と前記記憶部１５に予め記憶された前記操作部１１及び前記フックスイッチ部１２の動作状態とを比較参照した結果から表示音を生成する機能部である。
表示音鳴動部１７は、前記表示音生成部１６で生成された表示音を出力する機能部である。
インタフェース部１８は、交換機やゲートウェイ機器を含む周辺機器と少なくとも何れか一つと情報の送受信を行なう機能部である。
【００１０】
図２を参照して本実施例１の動作について詳細に説明する。
前記通信端末１０は、前記検知部１３で前記操作部１１の操作を検知すると（ステップＳ１）、続いて前記フックスイッチ部１２がオフ・フック状態であるか否かの状態検知を行なう（ステップＳ２）。
前記状態検知結果がオン・フック状態であった場合（ステップＳ２のＮｏ側）、前記操作部１１からの数字及び文字の入力や各種設定及び機能切換入力処理に基づきデータを処理し終了する（ステップＳ６）。
【００１１】
前記状態検知結果がオフ・フック状態の場合（ステップＳ２のＹｅｓ側）、前記検知部１３は前記操作部１１からの操作が予め設定された特定項目の操作入力であるか否かの操作項目検知を行なう（ステップＳ３）。
前記操作項目検知の結果が予め設定された特定項目に該当しない場合（ステップＳ３のＮｏ側）、前記操作部１１からの数字及び文字の入力や各種設定及び機能切換入力処理に基づきデータを処理し終了する（ステップＳ６）。
前記操作項目検知の結果が予め設定された特定項目に該当する場合（ステップＳ３のＹｅｓ側）、前記表示音生成部１６は、前記記憶部１５に記憶している音源情報を基に表示音を生成する（ステップＳ４）。そして、前記表示音鳴動部１７は前記表示音生成部１６で生成された表示音を出力し（ステップＳ５）、前記操作部１１からの数字及び文字の入力や各種設定及び機能切換入力処理に基づきデータを処理し終了する（ステップＳ６）。
【図面の簡単な説明】
【００１２】
【図１】本発明における通信端末及び制御方法の概略構成図
【図２】本発明における通信端末及び制御方法の動作フローチャート
【符号の説明】
【００１３】
１０…通信端末、１１…操作部、１２…フックスイッチ部、１３…検知部、１４…制御部、１５…記憶部、１６…表示音生成部、１７…表示音鳴動部、１８…インタフェース部
【図１】
2007258812.tif 000003
【図２】
2007258812.tif 000004